(57)【要約】【課題】薄型の筐体を有した場合であっても、点火操作に応じて位置ずれが生じることを抑制できるコンロを提供する。【解決手段】コンロは、筐体２の底面部２５の四隅における右前脚取付部、左前脚取付部、左後脚取付部及び右後脚取付部に、脚部９１，９２，９３，９４を備える。また、コンロは、底面部２５の中央部における中央脚取付部にも、脚部９５を備える。脚部９１，９２，９３，９４，９５は、底面部２５において下方に突出し、コンロの設置面に対して筐体２を支持する。このため、コンロが薄型の筐体２を採用し、コンロ自体の重量が比較的軽くても、点火操作において燃料調整部の操作軸が後方に押し込みながら回動された場合にコンロに位置ずれが生じ難い。【選択図】図６
2020003075.tif 000002
【特許請求の範囲】
【請求項１】
上部が開口し、左右方向を長手方向とする直方体状の筐体と、
前記筐体の内部に配置され、燃料ガスと空気を混合する管状部であって所定方向に延びる混合管部の一端が下部に接続されるバーナ本体を備える二つのコンロバーナと、
前記二つのコンロバーナのそれぞれに対して燃料ガスを供給するために設けられ、本体部と、前記本体部から前方に延びる操作部とを有し、前記操作部を後方に押し込むことによって、前記コンロバーナに点火する燃料供給装置と
を備えたコンロであって、
前記筐体の底面の四隅から下方に突出して設けられ、前記コンロの設置面に対して前記筐体を支持する第一脚部と、
前記筐体の前記底面の中央部において下方に突出し、前記第一脚部から隔離して配置される第二脚部と
を備えたことを特徴とするコンロ。
【請求項２】
前記第二脚部は、前記筐体の前記底面の左右方向における中央の位置に配置されることを特徴とする請求項１に記載のコンロ。
【請求項３】
前記第二脚部は、前記筐体の前記底面において、平面視で前記二つのコンロバーナのそれぞれの前記バーナ本体同士の間の位置に配置されることを特徴とする請求項１又は２に記載のコンロ。
【請求項４】
前記筐体の前記底面に前記第一脚部及び前記第二脚部が取り付けられた状態において、前記第一脚部の最下部よりも、前記第二脚部の最下部の方が高い位置に配置されることを特徴とする請求項１から３のいずれかに記載のコンロ。
【請求項５】
前記第二脚部は、前記筐体の前記底面に対して、上下方向における遊びを有して固定されることを特徴とする請求項１から４のいずれかに記載のコンロ。
【請求項６】
前記第一脚部及び前記第二脚部は、前記筐体の前記底面に設けられる孔部に対して下側から挿入されることで前記底面に設けられるものであり、
前記孔部に挿入された状態で前記孔部の上側に配置され、前記第一脚部及び前記第二脚部を前記底面に固定する固定部と、
前記固定部の下側において前記固定部よりも外方に張り出して設けられ、前記設置面に当接するための当接面を最下部に有する当接部とを備えることを特徴とする請求項１から５のいずれかに記載のコンロ。
【請求項７】
前記当接部は、
前記固定部の下側に設けられ、所定の硬度を有する樹脂によって形成される第一部分と、
前記第一部分の下側に設けられ、前記当接面を有し、前記第一部分よりも硬度が低い樹脂によって形成される第二部分と備え、
前記当接面の表面は、凹凸を有していることを特徴とする請求項６に記載のコンロ。
【発明の詳細な説明】
【技術分野】
【０００１】
本発明は、コンロに関する。
【背景技術】
【０００２】
従来、バーナを備えたコンロが知られている。特許文献１に開示されたコンロは、点火スイッチが押下操作されることに応じて、バーナヘッドの周縁部に火炎を形成する。コンロの点火方式には、圧電式、乾電池式等があるが、いずれの点火方式であっても、点火スイッチを押下げる又は押し回すこと等で、点火が行われるのが一般的である。
【先行技術文献】
【特許文献】
【０００３】
【特許文献１】特開２０１７−４４３７０号公報
【発明の概要】
【発明が解決しようとする課題】
【０００４】
単身者向け等として、グリルを有さず、一般的なコンロよりも薄型のコンロの需要がある。コンロが薄型の筐体を採用した場合、コンロの重量が一般的なコンロよりも軽くなりやすい。このような状態で点火スイッチが操作されると、点火スイッチが筐体に対して押し込まれることに応じてコンロ全体が動き、コンロの設置位置が当初の設置位置からずれる可能性があるといった問題がある。
【０００５】
本発明はこのような問題点を解決するためになされたものであり、薄型の筐体を有した場合であっても、点火操作に応じて位置ずれが生じることを抑制できるコンロを提供することを目的とする。
【課題を解決するための手段】
【０００６】
本発明の請求項１に係るコンロは、上部が開口し、左右方向を長手方向とする直方体状の筐体と、前記筐体の内部に配置され、燃料ガスと空気を混合する管状部であって所定方向に延びる混合管部の一端が下部に接続されるバーナ本体を備える二つのコンロバーナと、前記二つのコンロバーナのそれぞれに対して燃料ガスを供給するために設けられ、本体部と、前記本体部から前方に延びる操作部とを有し、前記操作部を後方に押し込むことによって、前記コンロバーナに点火する燃料供給装置とを備えたコンロであって、前記筐体の底面の四隅から下方に突出して設けられ、前記コンロの設置面に対して前記筐体を支持する第一脚部と、前記筐体の前記底面の中央部において下方に突出し、前記第一脚部から隔離して配置される第二脚部とを備えたことを特徴とする。
【０００７】
請求項２に係るコンロは、請求項１に記載の構成に加えて、前記第二脚部は、前記筐体の前記底面の左右方向における中央の位置に配置されることを特徴とする。
【０００８】
請求項３に係るコンロは、請求項１又は２に記載の構成に加えて、前記第二脚部は、前記筐体の前記底面において、平面視で前記二つのコンロバーナのそれぞれの前記バーナ本体同士の間の位置に配置されることを特徴とする。
【０００９】
請求項４に係るコンロは、請求項１から３のいずれかに記載の構成に加えて、前記筐体の前記底面に前記第一脚部及び前記第二脚部が取り付けられた状態において、前記第一脚部の最下部よりも、前記第二脚部の最下部の方が高い位置に配置されることを特徴とする。
【００１０】
請求項５に係るコンロは、請求項１から４のいずれかに記載の構成に加えて、前記第二脚部は、前記筐体の前記底面に対して、上下方向における遊びを有して固定されることを特徴とする。
【００１１】
請求項６に係るコンロは、請求項１から５のいずれかに記載の構成に加えて、前記第一脚部及び前記第二脚部は、前記筐体の前記底面に設けられる孔部に対して下側から挿入されることで前記底面に設けられるものであり、前記孔部に挿入された状態で前記孔部の上側に配置され、前記第一脚部及び前記第二脚部を前記底面に固定する固定部と、前記固定部の下側において前記固定部よりも外方に張り出して設けられ、前記設置面に当接するための当接面を最下部に有する当接部とを備えることを特徴とする。
【００１２】
請求項７に係るコンロは、請求項６に記載の構成に加えて、前記当接部は、前記固定部の下側に設けられ、所定の硬度を有する樹脂によって形成される第一部分と、前記第一部分の下側に設けられ、前記当接面を有し、前記第一部分よりも硬度が低い樹脂によって形成される第二部分と備え、前記当接面の表面は、凹凸を有していることを特徴とする。
【発明の効果】
【００１３】
請求項１に係るコンロは、筐体の底面において、第一脚部に加えて第二脚部を備えるので、薄型の筐体を有した場合であっても、燃料供給装置の操作部が後方に押し込まれる点火操作に応じて位置ずれが生じることを抑制できる。
【００１４】
請求項２に記載のコンロは、請求項１に記載の発明の効果に加えて、二つのコンロバーナのうちいずれかに対応する燃料供給装置が操作された場合であっても、第二脚部が筐体の底面の左右方向における中央の位置において筐体を支持するので、位置ずれが生じにくい。
【００１５】
請求項３に記載のコンロは、請求項１又は２に記載の発明の効果に加えて、コンロ全体の重心の位置に第二脚部が配置されやすいので、第一脚部に加えて第二脚部によって筐体が支持されることで、コンロの位置ずれがさらに生じにくくなる。
【００１６】
コンロの筐体の上部に設置される天板を支える支持部が、筐体の底部の中央部に設けられることがある。この支持部には、天板上に載置された鍋等の非加熱物の荷重に加え、コンロの使用時に生ずる熱によって中央部が下方に沈み込むように歪んだ天板の荷重がかかることがある。このような場合、筐体の底部の中央部が下方に沈み込みやすい。また、第一脚部に加えて第二脚部を設けることにより、コンロを設置する設置面に対するがたつきが、筐体に生ずる可能性がある。請求項４に記載のコンロは、第二脚部の最下部を第一脚部の最下部よりも高い位置に予め配置しておくことで、コンロが実際に使用された状態において、第二脚部の最下部が設置面に接するようにできる。これにより、請求項４に記載のコンロは、請求項１から３のいずれかに記載の発明の効果に加えて、実際のコンロの使用状況に応じて、筐体を設置面に対して安定して設置することができる。
【００１７】
コンロの設置面に僅かな歪みが生じている場合がある。このような場合であっても、請求項５に係るコンロは、請求項１から４のいずれかに記載の発明の効果に加えて、第二脚部が有する上下方向における遊びによって設置面の歪みを吸収し、筐体を設置面に対して安定して設置することができる。
【００１８】
請求項６に係るコンロは、請求項１から５のいずれかに記載の発明の効果に加えて、第一脚部及び第二脚部の当接部を固定部よりも外方に張り出して設けることで、設置面に当接する当接面に所定の広さを与えることができるので、第一脚部及び第二脚部によって筐体を安定して支持させることができる。
【００１９】
請求項７に係るコンロは、請求項６に記載の発明の効果に加えて、第一脚部及び第二脚部の当接部のうち第一部分を第二部分よりも硬度の高い樹脂によって形成するので、当接部の強度を保つことができる。また、第二部分は第一部分よりも硬度が低い樹脂によって形成されるので、コンロの設置面に対してクッションの役割を果たし、筐体が安定して支持される。さらに、当接面の表面が凹凸を有するので、設置面と当接面との間に摩擦が生じ、点火操作に応じた位置ずれの発生が抑制される。
【図面の簡単な説明】
【００２０】
【図１】コンロ１の斜視図である。
【図２】天板３を省略したコンロ１の斜視図である。
【図３】天板３及び左側のコンロバーナ４を省略したコンロ１の斜視図である。
【図４】筐体２の平面図である。
【図５】脚部９１，９２，９３，９４，９５を省略した筐体２の平面図である。
【図６】筐体２の底面図である。
【図７】脚部９０の斜視図である。
【図８】脚部９０の右側面図である。
【図９】図７に示すＩＩ−ＩＩ線矢視方向断面図である。
【図１０】図６に示すＩ−Ｉ線矢視方向断面図である。
【発明を実施するための形態】
【００２１】
以下、本発明の実施形態を説明する。以下に記載されている装置の構造は、特定的な記載がない限り、それのみに限定する趣旨ではなく、単なる説明例である。図面は、本発明が採用しうる技術的特徴を説明するために用いられているものである。以下説明では、図中に矢印で示す左右、前後、上下を使用する。なお、図１に示すコンロ１は、グリルを備えず、単身者等向けに小型・薄型に構成されたテーブルコンロであるが、ビルトインコンロ等であってもよい。
【００２２】
図１から図３を参照して、コンロ１について説明する。図１に示すように、コンロ１は筐体２と天板３を備える。筐体２は、右壁部２１、左壁部２２、前壁部２３、後壁部２４及び底面部２５を備えた薄型の略直方体状に形成される。筐体２は、一枚の板金をプレス加工することによって一体に形成されている。天板３は、筐体２の右壁部２１、左壁部２２、前壁部２３及び後壁部２４によって囲まれて成る開口部２６を覆うように、筐体２の上部に配置される。天板３は、二つのコンロバーナ４，４を挿通させるためのバーナ開口（図示略）を有している。筐体２の開口部２６に天板３が設置されると、二つのコンロバーナ４，４の上部がバーナ開口を挿通し、天板３の前後方向略中央部において左右方向に並ぶ。
【００２３】
コンロバーナ４は、バーナ本体４０、バーナヘッド４２（図１参照）、スロート部４６を主に備える。バーナ本体４０は、コンロバーナ４の本体部を構成する。バーナヘッド４２は、バーナ本体４０の上部に載置される。スロート部４６は、前後方向に所定の長さを有する中空の管状部である。スロート部４６は、前側の端部である上流端部４６Ａから後側の端部である下流端部４６Ｂに向けて上り傾斜しながら、前後方向に沿って延びる。下流端部４６Ｂは、バーナ本体４０の下部に接続する。すなわち、開口部２６の内側において、二つのコンロバーナ４，４が、それぞれのスロート部４６を前後方向に延ばした状態で左右方向に二つ並べて配置される。上流端部４６Ａの略中央部には、燃料ガス及び空気が流入する流入口（図示略）が設けられている。スロート部４６は、流入口から流入する燃料ガスと一次空気とを混合し、燃料ガスと空気との混合気を、混合気の上流側端部である上流端部４６Ａから、混合気の下流側端部である下流端部４６Ｂに向けて通過させる。下流端部４６Ｂからバーナ本体４０に流入した混合気は、バーナ本体４０とバーナヘッド４２との間に形成された複数の炎口から噴出する。
【００２４】
筐体２の前面の略中央には、正面視円形状の二つの操作つまみ１１，１１が左右方向に並んで設けられる。操作つまみ１１，１１のそれぞれは、二つのコンロバーナ４，４のそれぞれの点火、消火及び火力調節を行うために操作される。操作つまみ１１，１１は、それぞれ、後述する燃料調整部６３，６３（図３参照）の前端部に嵌合される。
【００２５】
二つのコンロバーナ４，４は、開口部２６の内側において、一対の取付台３０，３０を介して筐体２の底面部２５に取り付けられる。取付台３０は、平面視で左右方向に長い長方形状に形成され、コンロバーナ４を筐体２の底面部２５よりも一段高い位置に固定するための部材である。一対の取付台３０，３０は、左右対称の構造を有する。取付台３０は、上下方向に延びて右壁部２１又は左壁部２２に寄せて配置される脚部３１と、上下方向に延びて脚部３１よりも開口部２６の内側に設けられる脚部３２とを有する。脚部３１，３２の上端部を略水平に延びる平面部の前側の左右方向略中央部には、鍋底温度等、被加熱物の温度を検知するための鍋センサ４３をバーナヘッド４２及びバーナ本体４０の中央部に配置するための鍋センサ固定部３３が設けられている。また、平面部の後側の左右方向略中央部には、放電による点火を行うための点火電極４４及び火炎の有無を検知するための熱電対４５をバーナヘッド４２の近傍に配置するための点火電極固定部３４及び熱電対固定部３５が設けられている。コンロバーナ４のバーナ本体４０は、取付台３０の平面部に対してねじで固定される。取付台３０の平面部のうち開口部２６の内側に寄った部分には、上方に延びる板状の壁部３６及び壁部３６の上端から開口部２６の内側に向けて略水平に延びる板状の上側部３７が設けられている。壁部３６及び上側部３７は、前述の天板３を開口部２６の内側において下側から支持するために設けられている。
【００２６】
図３を参照して、燃料流路装置６０について説明する。燃料流路装置６０は、左右のコンロバーナ４，４に供給される燃料ガスの流路を構成する。燃料流路装置６０は、燃料管６１、分岐流路部６２、一対の燃料調整部６３，６３及び一対の供給部６４，６４を備える。燃料管６１は、燃料ガスを流すための流路を内側に備え、開口部２６の左右方向略中央部を前後方向に略水平に延びる中空の細長い管状部材である。燃料管６１の後端部は、筐体２の外部に配置される所定のガス配管と接続可能であり、ガス配管から供給される燃料ガスを、燃料管６１の内部に流入させる。分岐流路部６２は、燃料管６１の前側に配置され、燃料管６１を介して流入する燃料ガスをコンロバーナ４，４のそれぞれに向けて左右方向に分岐させる部材である。
【００２７】
一対の燃料調整部６３，６３は、分岐流路部６２の左端部及び右端部のそれぞれに対して、左側及び右側から接続する。燃料調整部６３は、バルブボディ６３１、操作軸６３２等を備える。バルブボディ６３１は、前後方向に略水平に延びる円筒状に形成されており、燃料調整部６３の本体部を成す。左側の燃料調整部６３と右側の燃料調整部６３とにおいて、バルブボディ６３１は左右対称の構造を有する。操作軸６３２は、その後端部がバルブボディ６３１の前端部に挿入された状態で、前後方向に略水平に延びる軸状部である。燃料流路装置６０が筐体２に配置された状態で、操作軸６３２の前端部が筐体２の前壁部２３を貫通する。操作軸６３２の前端部には、前壁部２３の前側から操作つまみ１１が嵌合する。バルブボディ６３１は、操作軸６３２の回動に応じてコンロバーナ４，４のそれぞれに向けて流れる燃料ガス量を調整する弁部を内部に備える。
【００２８】
一対の供給部６４，６４は、左側の燃料調整部６３の左側及び右側の燃料調整部６３の右側にそれぞれ接続して、燃料調整部６３，６３のそれぞれから供給される燃料ガスを、コンロバーナ４，４のスロート部４６，４６のそれぞれに供給するための部材である。左側の供給部６４と右側の供給部６４とは、左右対称の構造を有する。供給部６４は、燃料調整部６３から供給された燃料ガスをコンロバーナ４のスロート部４６の上流端部４６Ａに向けて流すための流路を内側に備える。この流路を流れた燃料ガスは、供給部６４が備えるノズル６４Ａから噴出される。ノズル６４Ａの先端部は、スロート部４６の上流端部４６Ａの前側に配置される。
【００２９】
燃料調整部６３の点火操作時の動作について説明する。ユーザが操作つまみ１１を後方に押し込み押しながら反時計回りに約９０°回動させる点火操作を行うと、操作軸６３２が押し回されてバルブボディ６３１の内部の弁部が開き、燃料調整部６３から供給部６４へ燃料ガスが流れる。供給部６４はノズル６４Ａからスロート部４６の上流端部４６Ａ中央部の流入口に向けて燃料ガスを噴出する。スロート部４６を介してバーナ本体４０に流れた混合気は、バーナヘッド４２の炎口から噴出する。また、点火操作に応じてイグナイタ（図示略）の作動によって点火電極４４が放電し、炎口から噴出する混合気に点火する。これにより、バーナヘッド４２の外周部に火炎が形成される。
【００３０】
図４から図６を参照して、筐体２の底面部２５の構成を詳細に説明する。底面部２５は、外側固定部３８，３８、内側固定部３９，３９、右前脚取付部７１、左前脚取付部７２、左後脚取付部７３、右後脚取付部７４及び中央脚取付部８０を備える。外側固定部３８，３８は、底面部２５の前後方向中央部よりやや後方の位置における右壁部２１又は左壁部２２に寄った位置において平面視略楕円形状に隆起した部分である。外側固定部３８，３８は、左側の取付台３０の脚部３１及び右側の取付台３０の脚部３１のそれぞれの下端部を固定する部分である。内側固定部３９，３９は、底面部２５の上面から平面視略正方形状に一段高く形成された段部であり、外側固定部３８，３８と前後方向略同じ位置において外側固定部３８，３８から開口部２６の内側に向けて所定の間隔を置いて配置される。外側固定部３８，３８は、左側の取付台３０の脚部３２及び右側の取付台３０の脚部３２のそれぞれの下端部を固定する部分である。
【００３１】
右前脚取付部７１、左前脚取付部７２、左後脚取付部７３及び右後脚取付部７４は、底面部２５の四隅である右前部、左前部、左後部及び右後部のそれぞれに設けられ、コンロ１の設置面に対して筐体２を支持するための脚部９０を取り付けるための部分である。図５に示すように、右前脚取付部７１、左前脚取付部７２、左後脚取付部７３、及び右後脚取付部７４は、孔部７１１，７２１，７３１，７４１及び底面７１２，７２２，７３２，７４２をそれぞれ備える。右前脚取付部７１、左前脚取付部７２、左後脚取付部７３及び右後脚取付部７４は、底面部２５においてそれぞれ同一の形状であるので、右前脚取付部７１について主に説明する。
【００３２】
図５に示すように、右前脚取付部７１は、底面部２５の上面よりも下方に一段低くなるように窪んで形成される、平面視円形の凹状部である。右前脚取付部７１の内側の底面７１２の中央部には、底面７１２を上下方向に貫通する円形の孔部７１１が設けられている。右前脚取付部７１における孔部７１１及び底面７１２は、左前脚取付部７２、左後脚取付部７３、右後脚取付部７４のそれぞれにおける孔部７２１，７３１，７４１及び底面７２２，７３２，７４２に相当する。
【００３３】
中央脚取付部８０は、底面部２５のうち左右方向における略中央部のうち、前後方向における中央部よりやや後方の位置に設けられる。中央脚取付部８０は、底面部２５の上面よりも下方に一段低くなるように窪んで形成される、平面視円形の凹状部である。中央脚取付部８０の底面８０２の直径は、右前脚取付部７１の底面７１２の直径よりもやや小さくされている。また、中央脚取付部８０の底面８０２は、右前脚取付部７１、左前脚取付部７２、左後脚取付部７３及び右後脚取付部７４の底面７１２，７２２，７３２，７４２よりも僅かに上方に設けられている。本実施形態において、底面８０２は、底面７１２，７２２，７３２，７４２よりも０．５mmほど上方に配置される。底面８０２の中央部には、底面８０２を上下方向に貫通する円形の孔部８０１が設けられている。孔部８０１の直径は、孔部７１１，７２１，７３１，７４１の直径と同じである。
【００３４】
中央脚取付部８０は、内側固定部３９，３９それぞれの左右方向における間の位置に配置されている。前述したように、左側の外側固定部３８及び内側固定部３９との間に、左側の取付台３０が架け渡される。右側の外側固定部３８及び内側固定部３９との間に、右側の取付台３０が架け渡される。左側のコンロバーナ４のバーナ本体４０は、平面視で左側の外側固定部３８及び内側固定部３９との間に配置される取付台３０の平面部に対して固定される。右側のコンロバーナ４のバーナ本体４０は、平面視で右側の外側固定部３８及び内側固定部３９との間に配置される取付台３０の平面部に対して固定される。すなわち、中央脚取付部８０は、左側のコンロバーナ４のバーナ本体４０と、右側のコンロバーナ４のバーナ本体４０との左右方向における間の位置に配置される。コンロバーナ４，４は所定の重量を有しているので、左右のバーナ本体４０，４０のそれぞれの間の位置は、コンロ１全体の重心の位置になりやすい。
【００３５】
右前脚取付部７１、左前脚取付部７２、左後脚取付部７３、右後脚取付部７４及び中央脚取付部８０のそれぞれには、筐体２をコンロ１の設置面に対して支持するための脚部９０が取り付けられる。脚部９０のうち、右前脚取付部７１、左前脚取付部７２、左後脚取付部７３、右後脚取付部７４及び中央脚取付部８０のそれぞれに取り付けられるものを、脚部９１，９２，９３，９４，９５とする。すなわち、本実施形態においては、右前脚取付部７１、左後脚取付部７３、右後脚取付部７４及び中央脚取付部８０のそれぞれに同一形状の脚部９０が、取り付けられる。図４及び図６に示すように、脚部９０は、その上部を孔部７１１，７２１，７３１，７４１，８０１のそれぞれよりも上方に配置し、その下部を孔部７１１，７２１，７３１，７４１，８０１のそれぞれよりも下方に配置した状態で、右前脚取付部７１、左前脚取付部７２、左後脚取付部７３、右後脚取付部７４及び中央脚取付部８０のそれぞれに取り付けられる。
【００３６】
図７から図９を参照して、脚部９０の構成を詳細に説明する。脚部９０は、樹脂製であり、当接部９６及び固定部９７を備える。当接部９６は、コンロ１の設置面に対して当接する当接面９６２Ａを最下部に備え、筐体２の底面部２５から下方に突出して配置される円盤状である。当接部９６の直径は、右前脚取付部７１、左前脚取付部７２、左後脚取付部７３、右後脚取付部７４及び中央脚取付部８０の直径と略同じである。固定部９７は、当接部９６の上面９６１Ａの中央部から上方に向けて突出し、右前脚取付部７１、左前脚取付部７２、左後脚取付部７３、右後脚取付部７４及び中央脚取付部８０のそれぞれに対して当接部９６を固定するための部分である。
【００３７】
当接部９６は、当接部９６の本体部を成す第一部分９６１と、第一部分９６１の下側に設けられる第二部分９６２とを備える。第一部分９６１は、ＰＣ、ＰＥ、ＰＥＴ、ＰＰ、ＡＢＳ等の所定の硬度を有する合成樹脂で構成される。このため、当接部９６に一定の強度が与えられる。第二部分９６２は、平面視で第一部分９６１よりもやや短い直径を有する円盤状である。第二部分９６２の最下部に、底面視で円形の当接面９６２Ａが設けられる（図６参照）。第二部分９６２は、第一部分９６１よりも硬度が低い合成樹脂で構成されている。本実施形態では、第二部分９６２は所定のエラストマーで構成される。なお、図示は省略するが、当接面９６２Ａの表面には微細な凹凸が形成されている。このため、筐体２が設置面に設置された状態で、設置面の表面と脚部９０の当接面９６２Ａとの間の密着性が向上する。
【００３８】
固定部９７は、第一部分９６１と一体に形成されている。固定部９７は、本体部９７１と、一対の突出部９７２，９７２とを備える。本体部９７１は、第一部分９６１の上面９６１Ａの中央部から上方に突出する略円柱状に形成されている。平面視において、本体部９７１の直径は、第一部分９６１の直径よりも小さい。一対の突出部９７２，９７２は、本体部９７１の前部及び後部において、側面視で下部に底辺を有する直角三角形状に設けられた、本体部９７１の外方に向けて突出する部分である。図８に示すように、一対の突出部９７２の最下部の前後方向の長さＬは、当接部９６の直径より短い。すなわち、当接部９６は、固定部９７の下側において固定部９７よりも外方に張り出して設けられる。このため、当接部９６の当接面９６２Ａは、所定の広さを有して設置面に当接できる。突出部９７２の最下部には、略水平に延びる面部である下面部９７２Ａが形成されている。図８に示すように、当接部９６の上面９６１Ａと突出部９７２の下面部９７２Ａとの間には、長さＫの隙間が形成される。本実施形態において、長さＫは約２．４mmである。
【００３９】
長さＬは、左前脚取付部７２、左後脚取付部７３、右後脚取付部７４及び中央脚取付部８０における孔部７１１，７２１，７３１，７４１，８０１の直径よりもやや長い。このため、コンロ１を製造する作業者は、孔部７１１，７２１，７３１，７４１，８０１に対して下方から、一対の突出部９７２，９７２を片方ずつくぐらせることで、孔部７１１，７２１，７３１，７４１，８０１に固定部９７を下方から上方に挿通させる。一対の突出部９７２，９７２の双方が孔部７１１，７２１，７３１，７４１，８０１を下方から上方に向けてくぐることで、平面視において孔部７１１，７２１，７３１，７４１，８０１の外方まで一対の突出部９７２の最下部が張り出す。これにより、固定部９７が孔部７１１，７２１，７３１，７４１，８０１から下方に抜けなくなる。このようにして、左前脚取付部７２、左後脚取付部７３、右後脚取付部７４及び中央脚取付部８０のそれぞれに、脚部９１，９２，９３，９４，９５のそれぞれが取り付けられる。左前脚取付部７２、左後脚取付部７３、右後脚取付部７４及び中央脚取付部８０に脚部９０が取り付けられた状態において、固定部９７が孔部７１１，７２１，７３１，７４１，８０１の上側に、当接部９６が孔部７１１，７２１，７３１，７４１，８０１の下側に、それぞれ配置される（図４及び図５参照）。
【００４０】
このように、筐体２の底面部２５の四隅に設けられた脚部９１，９２，９３，９４と、底面部２５の四隅から離間した中央部に設けられた脚部９５とによって、筐体２が設置面に対して支持される。ユーザがコンロ１の使用時に点火操作を行った場合、操作つまみ１１及び操作つまみ１１に嵌合する操作軸６３２が筐体２に対して後方に押し込まれる。コンロ１は、グリルを備えず小型に構成されているため、コンロ１の重量は一般的なコンロの重量に比べて軽い。また、左右の操作軸６３２，６３２は、コンロ１の左右方向における中央部から左方又は右方にずれた位置に配置された状態で前後方向に延びている。このため、点火操作によって操作軸６３２が後方に押し込まれることに応じて、筐体２を後方に押し込む力が、筐体２の左右方向における中央部から左右方向にいずれかにずれた位置に対して作用しやすい。
【００４１】
コンロ１は、筐体２の底面部２５の四隅に加えて、底面部２５の中央部にも脚部９５を備える。よって、点火操作が行われた場合であっても、コンロ１が位置ずれすることが抑制される。また、前述したように、脚部９０の当接面９６２Ａには微細な凹凸が形成されているので、設置面と当接面９６２Ａとの間の密着性による摩擦力によっても、コンロ１の位置ずれが軽減される。
【００４２】
図１０を参照して、筐体２に取り付けられた脚部９０の配置について説明する。直線Ｍは、筐体２の底面部２５の四隅に設けられた脚部９１，９２，９３，９４のうち最下部の当接面９６２Ａの上下方向における位置を示す。前述したように、中央脚取付部８０の底面８０２は、左前脚取付部７２、左後脚取付部７３、右後脚取付部７４及び中央脚取付部８０における底面７１２，７２２，７３２，７４２よりも上方に配置される。このため、図１０のＷ領域内に示すように、底面部２５の中央部に取り付けられた脚部９５の最下部である当接面９６２Ａは、直線Ｍよりも僅かに上方に配置される。筐体２の製造時において、脚部９５の最下部である当接面９６２Ａは、直線Ｍよりも約０．５mm上方に配置される。
【００４３】
前述したように、筐体２の底面部２５には、コンロバーナ４を底面部２５に取り付けるための取付台３０，３０が設けられる（図２及び図３参照）。このため、コンロバーナ４の重量による荷重が取付台３０を介して底面部２５に加わる。取付台３０の壁部３６及び上側部３７は、天板３を下側から支持するので、天板３の重量による荷重が取付台３０の脚部３１を介して内側固定部３９に加わる。特に、調理中等のコンロ１の使用時には、バーナヘッド４２，４２の火炎の熱によって天板３のバーナ開口の近傍の部分が熱膨張し、バーナ開口同士の間の位置である天板３の中央部が下方に変位するように変形する熱歪みが生じやすい。このため、内側固定部３９に、天板３による荷重がより多く加わりやすくなり、この荷重が脚部３１を介して筐体２の底面部２５の中央部に加わりやすい。コンロ１はこのような状況で使用を継続されるので、使用期間の経過に応じて、底面部２５の中央部が徐々に下方に変位するように変形しやすい。仮に、中央脚取付部８０の底面８０２を直線Ｍの位置と同じ位置に予め設けた場合には、底面部２５の中央部が下方に沈み込むことで、脚部９５の当接面９６２Ａが脚部９１，９２，９３，９４それぞれの当接面９６２Ａよりも下方に突出する可能性がある。この場合、コンロ１が設置面に対して設置された状態で、コンロ１に、がたつきが生じる可能性がある。
【００４４】
このことを踏まえて、コンロ１は、中央脚取付部８０の底面８０２を、右前脚取付部７１、左前脚取付部７２、左後脚取付部７３、及び右後脚取付部７４における底面７１２，７２２，７３２，７４２よりも上方になるように予め形成している。これにより、コンロ１の使用期間の経過に応じて底面部２５の中央部が下方に変位した場合に、脚部９５の当接面９６２Ａが、脚部９１，９２，９３，９４，９５の当接面９６２Ａと上下方向において同じ位置になり、コンロ１が設置面に対して安定して設置される。
【００４５】
なお、前述したように、脚部９５の当接部９６の上面９６１Ａと突出部９７２の下面部９７２Ａとの間には、長さＫの隙間が形成される（図８参照）。図１０のＷ領域に示すように、脚部９５は、中央脚取付部８０の底面８０２を、突出部９７２の下面部９７２Ａと当接部９６の上面９６１Ａとの間に挟んだ状態で、中央脚取付部８０に固定される。当接部９６の上面９６１Ａと突出部９７２の下面部９７２Ａとの間の長さが長さＫであることに起因して、突出部９７２の下面部９７２Ａ、中央脚取付部８０の底面８０２、当接部９６の上面９６１Ａとのそれぞれの間に隙間が生じる。この隙間が中央脚取付部８０に対する脚部９５の上下方向における遊びとして作用する。
【００４６】
よって、コンロ１の使用期間があまり経過しておらず、中央脚取付部８０の底面８０２が右前脚取付部７１、左前脚取付部７２、左後脚取付部７３及び右後脚取付部７４における底面７１２，７２２，７３２，７４２よりも上方に配置された状態であっても、脚部９１，９２，９３，９４，９５のいずれの当接面９６２Ａも設置面に当接しうる。このように、コンロ１は、コンロ１の使用期間がいずれであっても、五つの脚部９０によって、設置面に対して安定して支持される。設置面には歪みや微細な凹凸等が生じていることもあるが、底面部２５の四隅及び中央部に設けられる脚部９０が、底面部２５に対して上下方向の遊びを有して設けられるので、設置面の歪みや凹凸を遊びによって吸収し、筐体２が安定して設置面に支持される。また、脚部９０の当接面９６２Ａを最下部に有する第二部分９６２は、第一部分９６１よりも硬度が低いエラストマーで構成されているので、第二部分９６２が設置面に対してクッションの役割を果たす。これにより、設置面に対する筐体２の安定性が向上する。
【００４７】
以上説明したように、コンロ１は、筐体２の底面部２５の四隅における右前脚取付部７１、左前脚取付部７２、左後脚取付部７３及び右後脚取付部７４に、脚部９１，９２，９３，９４を備える。また、コンロ１は、底面部２５の中央部における中央脚取付部８０にも、脚部９５を備える。このため、コンロ１が薄型の筐体２を採用し、コンロ１自体の重量が比較的軽くても、点火操作において燃料調整部６３の操作軸６３２が後方に押し込みながら回動された場合にコンロ１に位置ずれが生じ難い。
【００４８】
コンロ１において、左右の燃料調整部６３，６３の操作軸６３２，６３２は、それぞれ、コンロ１の左右方向における中央部から左方又は右方にずれた位置に配置された状態で前後方向に延びている。このため、点火操作によって操作軸６３２が後方に押し込まれることに応じて、筐体２を後方に押し込む力が、筐体２の左右方向における中央部から左右方向にいずれかにずれた位置に対して作用しやすい。中央脚取付部８０及び脚部９５は、筐体２の底面部２５のうち左右方向における中央部に設けられるので、左右の操作軸６３２，６３２のいずれが操作された場合にも、コンロ１に位置ずれが生じ難い。
【００４９】
コンロ１は、筐体２の底面部２５のうち、コンロ１全体の重心の位置となりやすい左右のバーナ本体４０，４０のそれぞれの間の位置に中央脚取付部８０を設ける。このため、底面部２５の四隅の脚部９１，９２，９３，９４に加えて、中央脚取付部８０に脚部９５が取り付けられることによって、点火操作時におけるコンロ１の位置ずれが抑制される。
【００５０】
コンロ１において、取付台３０，３０のそれぞれにおける壁部３６及び上側部３７が、天板３を下側から支持している。また、コンロ１の使用時には、天板３の中央部に熱歪みが生じやすいので、筐体２の底面部２５の中央部は、使用期間の経過に応じて、天板３からの荷重によって下方に沈み込むように変形しやすい。このような場合であっても、コンロ１は、製造時において、脚部９５の最下部である当接面９６２Ａが、直線Ｍよりも僅かに上方に配置されるように底面部２５を構成している。よって、コンロ１は、その使用状況に応じて、筐体２を設置面に対して安定して設置することができる。
【００５１】
底面部２５において、右前脚取付部７１、左前脚取付部７２、左後脚取付部７３、右後脚取付部７４及び中央脚取付部８０のそれぞれに対して、脚部９０が上下方向における遊びを有して取り付けられる。よって、コンロ１の設置面に凹凸等、僅かに歪みが生じている場合であっても、コンロ１は、筐体２を設置面に対して安定して設置できる。
【００５２】
脚部９０において、当接部９６が固定部９７よりも外方に張り出して設けられるので、当接部９６の当接面９６２Ａは、所定の広さを有して設置面に当接できる。よって、設置面に対して筐体２が安定して設置される。
【００５３】
脚部９０の当接部９６のうち第一部分９６１は所定の硬度を有する合成樹脂で構成されるので、当接部９６は一定の強度を有する。また、第二部分９６３は第一部分９６１よりも硬度が低いエラストマーで構成されるので、コンロ１の設置面に対して第二部分９６３がクッションの役割を果たし、設置面に対する筐体２の安定性が向上する。また、第二部分９６３の最下部にあたる当接面９６２Ａには、微細な凹凸が形成されるので、筐体２が設置面に設置された状態で、設置面と当接面９６２Ａとの間の密着性が向上する。このため、点火操作時にコンロ１の位置ずれが生じ難い。
【００５４】
本実施形態において、コンロ１が、本発明の「コンロ」に相当する。筐体２が、本発明の「筐体」に相当する。底面部２５が、本発明の「底部」に相当する。コンロバーナ４が、本発明の「コンロバーナ」に相当する。スロート部４６が、本発明の「混合管部」に相当する。バーナ本体４０が、本発明の「バーナ本体」に相当する。燃料調整部６３が、本発明の「燃料供給装置」に相当する。バルブボディ６３１が、本発明の「本体部」に相当する。操作軸６３２が、本発明の「操作部」に相当する。脚部９１，９２，９３，９４が、本発明の「第一脚部」に相当する。脚部９５が、本発明の「第二脚部」に相当する。孔部７１１，７２１，７３１，７４１，８０１が、本発明の「孔部」に相当する。固定部９７が、本発明の「固定部」に相当する。当接部９６が、本発明の「当接部」に相当する。当接面９６２Ａが、本発明の「当接面」に相当する。第一部分９６１が、本発明の「第一部分」に相当する。第二部分９６２が、本発明の「第二部分」に相当する。
【００５５】
なお、本発明は上記実施形態に限定されるものではなく、種々の変更が可能である。上記実施形態において、脚部９０が右前脚取付部７１、左前脚取付部７２、左後脚取付部７３、右後脚取付部７４及び中央脚取付部８０に対して上下方向の遊びを有して固定されるためには、長さＫが、筐体２の底面部２５の厚み、特に中央脚取付部８０の底面８０２の厚みよりも長く設けられることが好ましい。
【００５６】
脚部９１，９２，９３，９４，９５の全てが筐体２の底面部２５に対して遊びを有して取り付けられなくてもよい。例えば、中央脚取付部８０に対して脚部９５が遊びを有して取り付けられ、その他の脚部９１，９２，９３，９４が右前脚取付部７１、左前脚取付部７２、左後脚取付部７３及び右後脚取付部７４のそれぞれに対して遊びを有さずに取り付けられてもよい。
【００５７】
コンロ１は、脚部９１，９２，９３，９４，９５として脚部９０を共通して用いているが、例えば、筐体２の底面部２５の四隅に設けられる脚部９１，９２，９３，９４と、底面部２５の中央部に設けられる脚部９５とが異なる形状を有していてもよい。
【００５８】
上記実施形態では、中央脚取付部８０の底面８０２の上下方向における位置が、右前脚取付部７１、左前脚取付部７２、左後脚取付部７３及び右後脚取付部７４それぞれの底面７１２，７２２，７３２，７４２の上下方向における位置よりも下方に設けられる。この状態で、右前脚取付部７１、左前脚取付部７２、左後脚取付部７３、右後脚取付部７４及び中央脚取付部８０に対して、脚部９０が共通して取り付けられることによって、脚部９５の当接面９６２Ａが脚部９１，９２，９３，９４の当接面９６２Ａよりも上方に配置される。この点、底面７１２，７２２，７３２，７４２，８０２のそれぞれが上下方向において同じ位置に設けられてもよい。この場合、中央脚取付部８０に対して右前脚取付部７１、左前脚取付部７２、左後脚取付部７３及び右後脚取付部７４に取り付けられる脚部よりも上下方向の長さが短い脚部が取り付けられてもよい。これによって、筐体２の底面部２５の四隅に取り付けられる脚部の最下部よりも底面部２５の中央部に取り付けられる脚部の最下部が上方に配置されてもよい。
【００５９】
第二部分９６２は、天然ゴム等の天然樹脂によって構成されてもよい。当接面９６２Ａにおける微細な凹凸は、様々な方法で形成されてよい。当接面９６２Ａがサンドブラスト等によって物理的に荒らされることで凹凸が形成されてもよい。当接面９６２Ａに化学的な所定の表面処理が施されることによって凹凸が形成されてもよい。
【符号の説明】
【００６０】
１    コンロ
２    筐体
４    コンロバーナ
４０    バーナ本体
４６    スロート部
６３    燃料調整部
９１，９２，９３，９４，９５    脚部
９６    当接部
９７    固定部
６３１    バルブボディ
６３２    操作軸
７１１，７２１，７３１，７４１，８０１    孔部
９６１    第一部分
９６２    第二部分
【図１】
2020003075.tif 000003
【図２】
2020003075.tif 000004
【図３】
2020003075.tif 000005
【図４】
2020003075.tif 000006
【図５】
2020003075.tif 000007
【図６】
2020003075.tif 000008
【図７】
2020003075.tif 000009
【図８】
2020003075.tif 000010
【図９】
2020003075.tif 000011
【図１０】
2020003075.tif 000012